(57)【要約】【課題】スピーカ装置の利用態様を拡大する。【解決手段】ステレオモード時には、入力端子１３Ｌ、１３Ｒから入力されたオーディオ信号がそれぞれ、スピーカ１１Ｌ、１１Ｒへ出力されるよう切替スイッチＳＷ１が切り替わり、モノラルモード時には、第１の入力端子１３Ｌから入力されたオーディオ信号がスピーカ１１Ｌ、１１Ｒの双方へ出力されるよう切替スイッチＳＷ１が切り替わる。また、イコライザ１４は、第１の入力端子１３Ｌから入力されたオーディオ信号の特性を、有効モード時には補正し、無効モード時には補正しないよう切り替わる。【選択図】図２
2018195987.tif 000002
【特許請求の範囲】
【請求項１】
互いに一体に連結された左側スピーカ及び右側スピーカと、
少なくともオーディオ信号を入力するための、第１の入力端子及び第２の入力端子と、
モノラルモードとステレオモードとに切り替わることが可能であり、前記ステレオモード時には、前記第１の入力端子から入力されたオーディオ信号を前記左側スピーカへ出力すると共に、前記第２の入力端子から入力されたオーディオ信号を前記右側スピーカへ出力し、前記モノラルモード時には、前記第１の入力端子から入力されたオーディオ信号を前記左側スピーカ及び前記右側スピーカの双方へ出力する出力切替手段と、
有効モードと無効モードとに切り替わることが可能であり、前記有効モード時には、前記第１の入力端子から入力されたオーディオ信号の特性を補正し、前記無効モード時には、前記第１の入力端子から入力されたオーディオ信号の特性を補正しない補正手段と、を有することを特徴とするスピーカ装置。
【請求項２】
前記出力切替手段は、前記第２の入力端子にプラグが挿入されると前記ステレオモードとなり、前記第２の入力端子にプラグが挿入されていないと前記モノラルモードとなることを特徴とする請求項１に記載のスピーカ装置。
【請求項３】
前記補正手段は、前記第２の入力端子にプラグが挿入されると前記無効モードとなり、前記第２の入力端子にプラグが挿入されていないと前記有効モードとなることを特徴とする請求項１または２に記載のスピーカ装置。
【請求項４】
前記補正手段は、前記出力切替手段が前記モノラルモードであると前記有効モードとなり、前記出力切替手段が前記ステレオモードであると前記無効モードとなることを特徴とする請求項１または２に記載のスピーカ装置。
【請求項５】
前記補正手段は、前記有効モード時には、前記左側スピーカ及び前記右側スピーカの通過帯域における最低周波数近傍から最高周波数近傍までの周波数領域の信号レベルを低くするよう補正することを特徴とする請求項１〜４のいずれか１項に記載のスピーカ装置。
【請求項６】
少なくともオーディオ信号を入力するための、第１の入力端子、第２の入力端子と、
互いに一体に連結された左側スピーカ及び右側スピーカを有するスピーカ装置に対し、ステレオのオーディオ信号を出力する左側出力端子及び右側出力端子を１組とする、第１組のステレオ出力端子及び第２組のステレオ出力端子と、
第１のモードと第２のモードとに切り替わることが可能であり、前記第１のモード時には、前記第１の入力端子から入力されたオーディオ信号を前記第１組のステレオ出力端子の前記左側出力端子から出力すると共に、前記第２の入力端子から入力されたオーディオ信号を前記第１組のステレオ出力端子の前記右側出力端子から出力し、前記第２のモード時には、前記第１の入力端子から入力されたオーディオ信号を前記第１組のステレオ出力端子の前記左側出力端子及び前記右側出力端子の双方から出力すると共に、前記第２の入力端子から入力されたオーディオ信号を前記第２組のステレオ出力端子の前記左側出力端子及び前記右側出力端子の双方から出力する出力切替手段と、
有効モードと無効モードとに切り替わることが可能であり、前記有効モード時には、前記第１の入力端子から入力されたオーディオ信号及び前記第２の入力端子から入力されたオーディオ信号の特性を補正し、前記無効モード時には、前記第１の入力端子から入力されたオーディオ信号及び前記第２の入力端子から入力されたオーディオ信号の特性を補正しない補正手段と、を有することを特徴とするアンプ装置。
【請求項７】
前記出力切替手段は、前記第２組のステレオ出力端子の前記左側出力端子及び前記右側出力端子に前記スピーカ装置が接続されると前記第２のモードとなり、前記第２組のステレオ出力端子の前記左側出力端子及び前記右側出力端子に前記スピーカ装置が接続されていないと前記第１のモードとなることを特徴とする請求項６に記載のアンプ装置。
【請求項８】
前記補正手段は、前記第２組のステレオ出力端子の前記左側出力端子及び前記右側出力端子に前記スピーカ装置が接続されると前記有効モードとなり、前記第２組のステレオ出力端子の前記左側出力端子及び前記右側出力端子に前記スピーカ装置が接続されていないと前記無効モードとなることを特徴とする請求項６または７に記載のアンプ装置。
【請求項９】
前記補正手段は、前記出力切替手段が前記第１のモードであると前記有効モードとなり、前記出力切替手段が前記第２のモードであると前記無効モードとなることを特徴とする請求項６または７に記載のアンプ装置。
【請求項１０】
前記補正手段は、前記スピーカ装置における前記左側スピーカ及び前記右側スピーカの通過帯域における最低周波数近傍から最高周波数近傍までの周波数領域の信号レベルを低くするよう補正することを特徴とする請求項６〜９のいずれか１項に記載のアンプ装置。
【発明の詳細な説明】
【技術分野】
【０００１】
本発明は、互いに一体に連結された左側スピーカ及び右側スピーカを有するスピーカ装置、及びアンプ装置に関する。
【背景技術】
【０００２】
従来、スピーカ装置は一般に、左右のチャンネルの音をそれぞれ放音する左側スピーカ及び右側スピーカを有し、これらが一体に連結された、いわゆる一体型スピーカ装置も知られている（下記非特許文献１）。この種のスピーカ装置では通常、左側、右側入力端子の各々にプラグが挿入されて、それぞれ左側、右側オーディ信号が入力され、ステレオ発音される。
【先行技術文献】
【非特許文献】
【０００３】
【非特許文献１】“ＪＶＣ  ポータブルスピーカー  SP-A55”、［online］、〔平成２９年３月１７日検索〕、インターネット＜ＵＲＬ：http://www3.jvckenwood.com/accessory/speaker/sp-a55/＞
【発明の概要】
【発明が解決しようとする課題】
【０００４】
しかしながら、一体型スピーカ装置は一般に小型化の要請が高いため、比較的、スピーカの口径が小さく、左右のスピーカ間距離も短く、またスピーカの通過帯域も狭い。口径が小さいことで出力が十分でなく、通過帯域が狭いことで特に低域での再生能力が劣る。また、スピーカ間距離が短いことでステレオ感が薄く、特に体を動かした時に定位感が崩れ、音のサービスエリアが狭いという問題もある。
【０００５】
なお、同じ構成の一体型スピーカ装置を２つ有していたとしても、それらを有効に利用する態様は提案されておらず、スピーカ装置の２個使いの価値はあまり見出されていない。また、オーディオ信号を増幅してスピーカ装置に出力するアンプ装置も知られている。スピーカ装置にアンプ装置を接続して使用する場合も、スピーカ装置の２個使いの価値はあまり見出されていない。
【０００６】
本発明は上記従来技術の問題を解決するためになされたものであり、その目的は、スピーカ装置の利用態様を拡大することができるスピーカ装置、アンプ装置を提供することにある。
【課題を解決するための手段】
【０００７】
上記目的を達成するために本発明の請求項１のスピーカ装置は、互いに一体に連結された左側スピーカ（１１Ｌ）及び右側スピーカ（１１Ｒ）と、少なくともオーディオ信号を入力するための、第１の入力端子（１３Ｌ）及び第２の入力端子（１３Ｒ）と、モノラルモードとステレオモードとに切り替わることが可能であり、前記ステレオモード時には、前記第１の入力端子から入力されたオーディオ信号を前記左側スピーカへ出力すると共に、前記第２の入力端子から入力されたオーディオ信号を前記右側スピーカへ出力し、前記モノラルモード時には、前記第１の入力端子から入力されたオーディオ信号を前記左側スピーカ及び前記右側スピーカの双方へ出力する出力切替手段（ＳＷ１）と、有効モードと無効モードとに切り替わることが可能であり、前記有効モード時には、前記第１の入力端子から入力されたオーディオ信号の特性を補正し、前記無効モード時には、前記第１の入力端子から入力されたオーディオ信号の特性を補正しない補正手段（１４）と、を有することを特徴とする。
【０００８】
上記目的を達成するために本発明の請求項６のアンプ装置は、少なくともオーディオ信号を入力するための、第１の入力端子（３３Ｌ）、第２の入力端子（３３Ｒ）と、互いに一体に連結された左側スピーカ及び右側スピーカを有するスピーカ装置（２０）に対し、ステレオのオーディオ信号を出力する左側出力端子（３５−１Ｌ、３５−２Ｌ）及び右側出力端子（３５−１Ｒ、３５−２Ｒ）を１組とする、第１組のステレオ出力端子（３５−１Ｌ、１Ｒ）及び第２組のステレオ出力端子（３５−２Ｌ、２Ｒ）と、第１のモードと第２のモードとに切り替わることが可能であり、前記第１のモード時には、前記第１の入力端子から入力されたオーディオ信号を前記第１組のステレオ出力端子の前記左側出力端子（３５−１Ｌ）から出力すると共に、前記第２の入力端子から入力されたオーディオ信号を前記第１組のステレオ出力端子の前記右側出力端子（３５−１Ｒ）から出力し、前記第２のモード時には、前記第１の入力端子から入力されたオーディオ信号を前記第１組のステレオ出力端子の前記左側出力端子及び前記右側出力端子の双方（３５−１Ｌ、１Ｒ）から出力すると共に、前記第２の入力端子から入力されたオーディオ信号を前記第２組のステレオ出力端子の前記左側出力端子及び前記右側出力端子の双方（３５−２Ｌ、２Ｒ）から出力する出力切替手段（ＳＷ１）と、有効モードと無効モードとに切り替わることが可能であり、前記有効モード時には、前記第１の入力端子から入力されたオーディオ信号及び前記第２の入力端子から入力されたオーディオ信号の特性を補正し、前記無効モード時には、前記第１の入力端子から入力されたオーディオ信号及び前記第２の入力端子から入力されたオーディオ信号の特性を補正しない補正手段（３４Ｌ、３４Ｒ）と、を有することを特徴とする。
【０００９】
なお、上記括弧内の符号は例示である。
【発明の効果】
【００１０】
本発明によれば、スピーカ装置の利用態様を拡大することができる。
【００１１】
請求項２、７によれば、例えば、２個のスピーカ装置をステレオスピーカシステムとして利用する際に、自動的に音量の拡大等の調節を実現することができる。請求項３、４、８、９によれば、例えば、２個のスピーカ装置をステレオスピーカシステムとして利用する際に、自動的に通過帯域の拡大等の調節を実現することができる。請求項５、１０によれば、音量と通過帯域とを調整できる。
【図面の簡単な説明】
【００１２】
【図１】スピーカシステムの斜視図、スピーカ装置の構成を示す図である。
【図２】スピーカ装置を２個使用する場合の動作例を示す図である。
【図３】スピーカ装置の片側チャンネルの通過帯域（（ａ）、（ｂ）、（ｄ）、（ｅ））及びイコライザの補正特性の例（（ｃ））を示す図である。
【図４】変形例のスピーカ装置の構成を示す図、要部のブロック図である。
【図５】アンプ装置の利用態様例を示す図である。
【図６】変形例のアンプ装置の構成を示す図である。
【発明を実施するための形態】
【００１３】
以下、図面を参照して本発明の実施の形態を説明する。
【００１４】
（第１の実施の形態）
図１（ａ）は、本発明の第１の実施の形態に係るスピーカ装置が適用されるスピーカシステムの斜視図である。スピーカシステムは、同一構成の２つのスピーカ装置１０（１０−１、１０−２）をスタンド１で支持して成る。スピーカ装置１０は、互いに一体に連結された左側スピーカ１１Ｌ及び右側スピーカ１１Ｒを有する。またスピーカ装置１０は、操作子１５、１６を有する。図１（ａ）で示すのはスピーカ装置１０を２つ使用する態様の一例であり、スピーカ装置１０−１、１０−２を必ずしもスタンドのような支持部で支持する必要はなく、床面等に載置する態様でもよい。ユーザは、スピーカ装置１０を単独で使用してもよいが、本実施の形態ではスピーカ装置１０を２個使用する有効な形態を開示する（図２）。
【００１５】
図１（ｂ）は、スピーカ装置１０の構成を示す図である。スピーカ装置１０は、少なくともオーディオ信号を入力するための、第１の入力端子１３Ｌ及び第２の入力端子１３Ｒを有する。左側スピーカ１１Ｌ、右側スピーカ１１Ｒにはそれぞれ、アンプ１２Ｌ、１２Ｒが接続される。スピーカ装置１０は切替スイッチＳＷ１を有する。切替スイッチＳＷ１は、アンプ１２Ｒへの信号の入力元を第１の入力端子１３Ｌと第２の入力端子１３Ｒとに切り替える出力切替手段である。アンプ１２Ｒへの信号の入力元は、切替スイッチＳＷ１が接点ＴＬ側に切り替わると第１の入力端子１３Ｌとなり、切替スイッチＳＷ１が接点ＴＲ側に切り替わると第２の入力端子１３Ｒとなる。第１の入力端子１３Ｌとアンプ１２Ｌとの間にはイコライザ（ＥＱ）１４が接続される。従って、第１の入力端子１３Ｌ、イコライザ１４、アンプ１２Ｌ、左側スピーカ１１Ｌが左側ラインに配置され、第２の入力端子１３Ｒ、切替スイッチＳＷ１、アンプ１２Ｒ、右側スピーカ１１Ｒが右側ラインに配置される。切替スイッチＳＷ１の端子ＴＬは、左側ラインにおけるイコライザ１４とアンプ１２Ｌとの間に接続される。詳細は後述するように、イコライザ１４は、モードに応じて、第１の入力端子１３Ｌから入力されたオーディオ信号の特性を補正する補正手段である。
【００１６】
第１の入力端子１３Ｌ、第２の入力端子１３Ｒのそれぞれには、プラグ３９が挿入可能である。プラグ３９は、複数端子を有する公知の構成の多極プラグであり、複数端子のうち１つが、プラグ３９が挿入されたことを検知するための端子として用いられる。本実施の形態では特に、第２の入力端子１３Ｒにプラグ３９が挿入されると、挿入されたことが抵抗変化等による電気的な手法で検知され、その検知結果に応じて切替スイッチＳＷ１、イコライザ１４が共に自動的に切り替わる。
【００１７】
本実施の形態では、出力モードとしてモノラルモードとステレオモードとがあり、イコライザ１４の動作モードとして有効モードと無効モードとがある。出力モードは、第２の入力端子１３Ｒにプラグ３９が挿入されるとステレオモードとなり、第２の入力端子１３Ｒにプラグ３９が挿入されていないとモノラルモードとなる。イコライザ１４の動作モードは、第２の入力端子１３Ｒにプラグ３９が挿入されると無効モードとなり、第２の入力端子１３Ｒにプラグ３９が挿入されていないと有効モードとなる。
【００１８】
１つのスピーカ装置１０を単独のステレオスピーカ装置として利用する場合は、ユーザは通常、第１の入力端子１３Ｌに左側のプラグ３９Ｌを挿入し、第２の入力端子１３Ｒに右側のプラグ３９Ｒを挿入する。これにより、出力モードはステレオモードとなる。スピーカ装置１０は、ステレオモード時には、切替スイッチＳＷ１を接点ＴＲ側に切り替え、第１の入力端子１３Ｌから入力されたオーディオ信号（通常、Ｌチャンネルの信号）を、アンプ１２Ｌを介して左側スピーカ１１Ｌへ出力すると共に、第２の入力端子１３Ｒから入力されたオーディオ信号（通常、Ｒチャンネルの信号）を、アンプ１２Ｒを介して右側スピーカ１１Ｒへ出力する。その際、スピーカ装置１０は、イコライザ１４の動作モードを無効モードとするので、第１の入力端子１３Ｌから入力されたオーディオ信号は特性を補正されないまま出力される。
【００１９】
図２（ａ）、（ｂ）は、スピーカ装置１０を２個使用する場合の動作例を示す図である。一例として、２つのスピーカ装置１０が協働して音量を拡大するステレオスピーカシステムを実現できる。ユーザは、一方のスピーカ装置１０、例えばスピーカ装置１０−１（図２（ａ））に対しては、第１の入力端子１３Ｌにプラグ３９（例えばプラグ３９Ｌ）を挿入する。ユーザは、他方のスピーカ装置１０、例えばスピーカ装置１０−２（図２（ｂ））に対しては、第１の入力端子１３Ｌにプラグ３９（例えばプラグ３９Ｒ）を挿入する。スピーカ装置１０−１、１０−２のいずれも、第２の入力端子１３Ｒにはプラグ３９が挿入されていないので、出力モードはモノラルモードとなりイコライザ１４の動作モードは有効モードとなる。
【００２０】
従って、各スピーカ装置１０において、切替スイッチＳＷ１が接点ＴＬ側に切り替わると共に、イコライザ１４は補正動作を実施する。スピーカ装置１０−１においては、第１の入力端子１３Ｌから入力されたオーディオ信号は、特性を補正されて、アンプ１２Ｌ、１２Ｒを介してそれぞれ左側スピーカ１１Ｌ、右側スピーカ１１Ｒへ出力される。スピーカ装置１０−２においては、第１の入力端子１３Ｌから入力されたオーディオ信号は、特性を補正されて、アンプ１２Ｌ、１２Ｒを介してそれぞれ左側スピーカ１１Ｌ、右側スピーカ１１Ｒへ出力される。スピーカ装置１０−１の第１の入力端子１３ＬにＬチャンネルの信号が入力され、スピーカ装置１０−２の第１の入力端子１３ＬにＲチャンネルの信号が入力されたなら、スピーカ装置１０−１のスピーカ１１Ｌ、１１ＲでＬチャンネルの信号、スピーカ装置１０−２のスピーカ１１Ｌ、１１ＲでＲチャンネルの信号が出力される。これにより、スピーカ装置１０−１、１０−２の各々はモノラルモードであるが、２つのスピーカ１１Ｌ、１１Ｒで発音するため、例えば音量が拡大されたステレオ出力が実現される。しかもその際、各チャンネルのオーディオ信号は特性が補正されて出力される。
【００２１】
図３（ａ）〜（ｅ）は、スピーカ装置１０の片側チャンネルの通過帯域（再生帯域）とイコライザ１４の補正特性との関係を示す図である。各図において、横軸に周波数、縦軸に音圧（ｄＢ）をとる。図３（ａ）に示すように、スピーカ装置１０の片側チャンネルの補正前出力４１において、通過帯域は、最低周波数Ｆｍｉｎから最高周波数Ｆｍａｘまでの範囲である。厳密には、最低周波数Ｆｍｉｎ、最高周波数Ｆｍａｘはそれぞれ、音圧が略一定して最大となる周波数領域のうち下限、上限の値から音圧が３ｄＢ低くなるような周波数である。図３（ａ）の例では、基準となる０ｄＢに対して音圧が「−３ｄＢ」となる周波数が、最低周波数Ｆｍｉｎ、最高周波数Ｆｍａｘとなる。
【００２２】
仮に、スピーカ装置１０−１、１０−２のそれぞれの第１の入力端子１３Ｌに同じソースの信号（例えば、どちらもＬチャンネルの信号）が入力されたと仮定する。ここで、仮にイコライザ１４による補正を実施しないとすれば、図３（ｂ）に示すように、音圧が６ｄＢアップした出力４２が得られる。よって、上述のように、スピーカ装置１０−１、１０−２の第１の入力端子１３ＬにそれぞれＬ、Ｒチャンネルの信号が入力され、且つ、仮にイコライザ１４による補正を実施しないとすれば、音量がほぼ２倍となったステレオ発音が実現される。しかしこの状態では通過帯域は変化しない。
【００２３】
図３（ｃ）に、イコライザ１４の補正特性４３を示す。一例として、イコライザ１４は、有効モード時には、オーディオ信号における最低周波数Ｆｍｉｎ近傍から最高周波数Ｆｍａｘ近傍までの周波数領域の信号レベルを低くするよう補正する。イコライザ１４は、ローシェルビングフィルタ及びハイシェルビングフィルタを組み合わせて構成される。ローシェルビングフィルタは、所定周波数より高い側の信号レベルを例えば６ｄＢ低くするよう補正する。ハイシェルビングフィルタは、所定周波数より低い側の信号レベルを例えば６ｄＢ低くするよう補正する。ここで、信号レベルの減衰量は６ｄＢとしたのは、スピーカ装置１０を２つ用いたことで音量が２倍となるのを、１つ分のスピーカ装置１０の音量と同等に抑えるためである。厳密には、減衰量は、２０×Ｌｏｇ１０２により算出される値（約６．０２ｄＢ）とするのが望ましい。ローシェルビングフィルタの所定周波数は最低周波数Ｆｍｉｎと略一致するよう設計され、ハイシェルビングフィルタの所定周波数は最高周波数Ｆｍａｘと略一致するよう設計される。
【００２４】
出力４２（図３（ｂ））に対し、補正特性４３（図３（ｃ））のイコライザ１４による補正を施すと、図３（ｄ）に示すように、補正後出力４４が得られる。補正後出力４４と補正前出力４１（図３（ａ））とを比較すると、図３（ｅ）に示すように、通過帯域が拡大されることがわかる。図２（ａ）、（ｂ）に示すような、スピーカ装置１０を２個使用する態様で、イコライザ１４が補正特性４３を有するとすれば、スピーカ装置１０を１個使用するときと同等の音量を維持しつつ、通過帯域を拡大することができる。なお、ローシェルビングフィルタ及びハイシェルビングフィルタにおける所定周波数の設定や、信号レベルの補正の程度の設定によっては、様々な補正後出力４４を得ることができる。従って、イコライザ１４の設計によって、音量と通過帯域とを調整可能である。
【００２５】
本実施の形態によれば、ステレオモード時には、入力端子１３Ｌ、１３Ｒから入力されたオーディオ信号がそれぞれ、スピーカ１１Ｌ、１１Ｒへ出力されるよう切替スイッチＳＷ１が切り替わり、モノラルモード時には、第１の入力端子１３Ｌから入力されたオーディオ信号がスピーカ１１Ｌ、１１Ｒの双方へ出力されるよう切替スイッチＳＷ１が切り替わる。また、イコライザ１４は、第１の入力端子１３Ｌから入力されたオーディオ信号の特性を、有効モード時には補正し、無効モード時には補正しないよう切り替わる。これらにより、スピーカ装置１０を２個使用して、音量アップや通過帯域の拡大ができ、スピーカ装置の利用態様を拡大することができる。また、２つのスピーカ装置１０を離して配置できるので、ステレオ感を明確にすると共にサービスエリアを拡大することも容易である。
【００２６】
具体的には、切替スイッチＳＷ１は、第２の入力端子１３Ｒにプラグ３９が挿入されるとステレオモードとなり挿入されていないとモノラルモードとなるので、例えば、２個のスピーカ装置１０をステレオスピーカシステムとして利用する際に、自動的に音量の拡大等の調節を実現することができる。また、イコライザ１４は、第２の入力端子１３Ｒにプラグ３９が挿入されると無効となり挿入されていないと有効となるので、例えば、２個のスピーカ装置１０をステレオスピーカシステムとして利用する際に、自動的に通過帯域の拡大等の調節を実現することができる。特に、イコライザ１４は、スピーカ１１Ｌ、１１Ｒのスピーカの通過帯域における最低周波数Ｆｍｉｎ近傍から最高周波数Ｆｍａｘ近傍までの周波数領域の信号レベルを低くするよう補正するので、音量と通過帯域とを調整できる。
【００２７】
なお、第２の入力端子１３Ｒへのプラグ３９の挿入有無によってステレオモード／モノラルモード、及び有効モード／無効モードが共に切り替わる構成を例示したが、これに限らない。変形例を図４で説明する。
【００２８】
図４（ａ）は、変形例のスピーカ装置１０の構成を示す図である。図４（ａ）に示すスピーカ装置１０は、２極双頭スイッチ構成であり、図１（ｂ）に示すスピーカ装置１０に対して、切替スイッチＳＷ２を追加した点が異なる。切替スイッチＳＷ２は、左側ラインにおけるイコライザ１４とアンプ１２Ｌとの間に配置される。切替スイッチＳＷ２の接点ＴＲ２は第１の入力端子１３Ｌと直接に接続される。切替スイッチＳＷ２の接点ＴＬ２はイコライザ１４の出力側に接続される。スピーカ装置１０のその他の部分の構成は図１（ｂ）に示すものと同様である。切替スイッチＳＷ２が接点ＴＬ２側、ＴＲ２側に切り替わることがそれぞれ、イコライザ１４の有効モード、無効モードに対応する。
【００２９】
切替スイッチＳＷ１の切り替わりの態様は図１（ｂ）の例と同様である。切替スイッチＳＷ２は切替スイッチＳＷ１に連動して切り替わるように構成され、切替スイッチＳＷ１が接点ＴＬ側に切り替わると接点ＴＬ２側に切り替わり、切替スイッチＳＷ１が接点ＴＲ側に切り替わると接点ＴＲ２側に切り替わる。従って、イコライザ１４の動作モードは、出力モードがモノラルモードであると、切替スイッチＳＷ２が接点ＴＬ２側に切り替わる有効モードとなり、出力モードがステレオモードであると、切替スイッチＳＷ２が接点ＴＲ２側に切り替わる無効モードとなる。ステレオモード且つ無効モードにおいては、第１の入力端子１３Ｌから入力されたオーディオ信号は、アンプ１２Ｌを介して左側スピーカ１１Ｌへ出力され、第２の入力端子１３Ｒから入力されたオーディオ信号は、アンプ１２Ｒを介して右側スピーカ１１Ｒへ出力される。その際、オーディオ信号は補正されない。
【００３０】
なお、切替スイッチＳＷ２は、切替スイッチＳＷ１と同様に、プラグ３９の挿入有無に応じて切り替わる構成としてもよい。なお、ステレオモード／モノラルモード、及び有効モード／無効モードをユーザにより手動で切り替え可能に構成してもよい。その場合、例えば操作子１５（図１（ａ））の操作でステレオモード／モノラルモードを切り替え可能にし、操作子１６（図１（ａ））の操作で有効モード／無効モードを切り替え可能に構成してもよい。あるいは、図４（ｂ）に示すように、制御部により各モードを切り替え制御する構成としてもよい。
【００３１】
図４（ｂ）は、変形例のスピーカ装置１０の要部の構成を示すブロック図である。スピーカ装置１０は、検知部１７、ＣＰＵ１８を有する。検知部１７は、第２の入力端子１３Ｒへのプラグ３９の挿入有無を検知する構成であればよく、図１（ｂ）で説明した電気的な検知手法を用いたものでもよいし、物理的な検知を用いたものでもよい。スピーカ装置１０は、図４（ｂ）に示した構成要素のほか、ＲＡＭ等の記憶部を備える。切替スイッチＳＷ１、ＳＷ２は、ＣＰＵ１８によって切り替え可能な素子で構成してもよい。ＣＰＵ１８は、検知部１７による検知結果に基づいて、切替スイッチＳＷ１及び切替スイッチＳＷ２の切り替えを制御する。例えば、検知部１７により第２の入力端子１３Ｒへのプラグ３９の挿入が検知されると、ＣＰＵ１８は、モノラルモード且つ有効モードとなるよう制御する。なお、検知部１７による検知結果に基づく制御を、切替スイッチＳＷ１、ＳＷ２のいずれかだけに適用してもよい。
【００３２】
なお、第１の入力端子１３Ｌから入力されたオーディオ信号の特性を補正する補正手段としてイコライザ１４を例示したが、これに限らない。例えば、ＤＳＰ（digital signal processor）を設け、ＤＳＰがオーディオ信号の特性を補正する処理を担うようにしてもよい。
【００３３】
（第２の実施の形態）
本実施の形態では、オーディオ信号を増幅してスピーカ装置に出力するアンプ装置を説明する。図５（ａ）、（ｂ）は、アンプ装置３０の利用態様例を示す図である。本実施の形態では、アンプ装置３０に接続されるスピーカ装置２０には公知のものを採用できる。スピーカ装置２０は、互いに一体に連結された左側スピーカ１１Ｌ及び右側スピーカ１１Ｒを有するが、アンプを内蔵する必要はない。図５（ａ）ではスピーカ装置２０を１個接続し、図５（ｂ）ではスピーカ装置２０を２個接続する態様を示している。
【００３４】
アンプ装置３０は、第１の入力端子１３Ｌ、第２の入力端子１３Ｒ（図１（ｂ））と同様の第１の入力端子３３Ｌ、第２の入力端子３３Ｒを有する。アンプ装置３０は、左側出力端子３５−１Ｌ及び右側出力端子３５−１Ｒを１組とする、第１組のステレオ出力端子を有する。また、アンプ装置３０は、左側出力端子３５−２Ｌ及び右側出力端子３５−２Ｒを１組とする、第２組のステレオ出力端子を有する。出力端子３５−１Ｌ、３５−１Ｒにはそれぞれ、アンプ３２−１Ｌ、３２−１Ｒが接続される。出力端子３５−２Ｌ、３５−２Ｒにはそれぞれ、アンプ３２−２Ｌ、３２−２Ｒが接続される。スピーカ装置２０は切替スイッチＳＷ１を有する。切替スイッチＳＷ１は、アンプ３２−１Ｒへの信号の入力元を第１の入力端子３３Ｌと第２の入力端子３３Ｒとに切り替える出力切替手段である。アンプ３２−１Ｒへの信号の入力元は、切替スイッチＳＷ１が接点ＴＬ側に切り替わると第１の入力端子３３Ｌとなり、切替スイッチＳＷ１が接点ＴＲ側に切り替わると第２の入力端子３３Ｒとなる。
【００３５】
第１の入力端子３３Ｌと接続点３８Ｌとの間にはイコライザ３４Ｌが接続される。第２の入力端子３３Ｒと接続点３８Ｒとの間にはイコライザ３４Ｒが接続される。接続点３８Ｌは接点ＴＬ及びアンプ３２−１Ｌと接続され、接続点３８Ｒは接点ＴＲ、アンプ３２−２Ｌ、３２−２Ｒと接続されている。本実施の形態では、出力モードとして第１のモードと第２のモードとがあり、イコライザ１４の動作モードとして、第１の実施の形態と同様の有効モードと無効モードとがある。出力モードは、第２組のステレオ出力端子（３５−２Ｌ、３５−２Ｒ）にスピーカ装置２０が接続される／接続されていないと、それぞれ第２のモード／第１のモードとなる。各イコライザ３４の動作モードは、第２組のステレオ出力端子（３５−２Ｌ、３５−２Ｒ）にスピーカ装置２０が接続される／接続されていないと、それぞれ有効モード／無効モードとなる。各イコライザ３４の特性は第１の実施の形態で説明したイコライザ１４の特性と同様である（図３（ｃ）等）。
【００３６】
アンプ装置３０にスピーカ装置２０を１つだけ接続して使用する場合は、通常、ユーザは、図５（ａ）に示すように、第１組のステレオ出力端子（３５−１Ｌ、３５−１Ｒ）にそれぞれスピーカ装置２０のスピーカ１１Ｌ、１１Ｒを接続する。これにより、切替スイッチＳＷ１が接点ＴＲ側に切り替わる第１のモードとなり且つ、イコライザ３４Ｌ、３４Ｒは無効モードとなる。従って、第１の入力端子３３Ｌから入力されたオーディオ信号は、イコライザ３４Ｌで補正されることなく、アンプ３２−１Ｌを介して出力端子３５−１Ｌから左側スピーカ１１Ｌへ出力される。また、第２の入力端子３３Ｒから入力されたオーディオ信号は、イコライザ３４Ｒで補正されることなく、アンプ３２−１Ｒを介して出力端子３５−１Ｒから右側スピーカ１１Ｒへ出力される。この場合、スピーカ装置２０は単独でステレオ発音する。
【００３７】
一方、アンプ装置３０に同じ構成のスピーカ装置２０を２つ（スピーカ装置２０−１、２０−１）接続して使用する場合は、通常、ユーザは、図５（ｂ）に示すように、第１組のステレオ出力端子（３５−１Ｌ、３５−１Ｒ）にそれぞれスピーカ装置２０−１のスピーカ１１Ｌ、１１Ｒを接続すると共に、第２組のステレオ出力端子（３５−２Ｌ、３５−２Ｒ）にそれぞれスピーカ装置２０−２のスピーカ１１Ｌ、１１Ｒを接続する。これにより、切替スイッチＳＷ１が接点ＴＬ側に切り替わる第２のモードとなり且つ、イコライザ３４Ｌ、３４Ｒは有効モードとなる。従って、第１の入力端子３３Ｌから入力されたオーディオ信号は、イコライザ３４Ｌで補正されて、アンプ３２−１Ｌ、３２−１Ｒを介してそれぞれ出力端子３５−１Ｌ、３５−１Ｒからスピーカ装置２０−１のスピーカ１１Ｌ、１１Ｒへ出力される。また、第２の入力端子３３Ｒから入力されたオーディオ信号は、イコライザ３４Ｒで補正されて、アンプ３２−２Ｌ、３２−２Ｒを介してそれぞれ出力端子３５−２Ｌ、３５−２Ｒからスピーカ装置２０−２のスピーカ１１Ｌ、１１Ｒへ出力される。この場合、スピーカ装置２０−１はＬチャンネルを受け持ち、スピーカ装置２０−２はＲチャンネルを受け持ち、両者が協働してステレオ発音する。
【００３８】
本実施の形態によれば、スピーカ装置２０を２個使用して、音量アップや通過帯域の拡大ができ、スピーカ装置の利用態様を拡大することに関し、第１の実施の形態と同様の効果を奏することができる。また、イコライザ３４の設計によって、音量と通過帯域とを調整可能である。
【００３９】
なお、第２組のステレオ出力端子（３５−２Ｌ、３５−２Ｒ）へのスピーカ装置２０の接続有無によって第１のモード／第２のモード、及び有効モード／無効モードが共に切り替わる構成を例示したが、これに限らない。変形例を図６で説明する。
【００４０】
図６は、変形例のアンプ装置３０の構成を示す図である。図６に示すアンプ装置３０は、３極双頭スイッチ構成であり、図５（ａ）に示すアンプ装置３０に対して、切替スイッチＳＷ２、ＳＷ３を追加した点が異なる。切替スイッチＳＷ２は、イコライザ３４Ｌと接続点３８Ｌとの間に配置される。切替スイッチＳＷ３は、イコライザ３４Ｒと接続点３８Ｒとの間に配置される。切替スイッチＳＷ２の接点ＴＬ２はイコライザ３４Ｌの出力側に接続される。切替スイッチＳＷ２の接点ＴＲ２は第１の入力端子３３Ｌと直接に接続される。切替スイッチＳＷ３の接点ＴＬ３はイコライザ３４Ｒの出力側に接続される。切替スイッチＳＷ３の接点ＴＲ３は第２の入力端子３３Ｒと直接に接続される。アンプ装置３０のその他の部分の構成は図５（ａ）に示すものと同様である。切替スイッチＳＷ２が接点ＴＬ２側、ＴＲ２側に切り替わるとそれぞれ、イコライザ３４Ｌは有効モード、無効モードとなる。切替スイッチＳＷ３が接点ＴＬ３側、ＴＲ３側に切り替わるとそれぞれ、イコライザ３４Ｒは有効モード、無効モードとなる。
【００４１】
切替スイッチＳＷ１の切り替わりの態様は図５（ａ）、（ｂ）の例と同様である。切替スイッチＳＷ２、ＳＷ３は切替スイッチＳＷ１に連動して切り替わるように構成される。切替スイッチＳＷ２、ＳＷ３はそれぞれ、切替スイッチＳＷ１が接点ＴＬ側に切り替わると接点ＴＬ２側、接点ＴＬ３側に切り替わり、切替スイッチＳＷ１が接点ＴＲ側に切り替わると接点ＴＲ２側、ＴＲ３側に切り替わる。従って、イコライザ３４Ｌの動作モードは、出力モードが第１のモードであると、切替スイッチＳＷ２、ＳＷ３がそれぞれ接点ＴＲ２側、ＴＲ３側に切り替わる無効モードとなり、出力モードが第２のモードであると、切替スイッチＳＷ２、ＳＥ３がそれぞれ接点ＴＬ２側、ＴＬ３側に切り替わる有効モードとなる。
【００４２】
第１のモード且つ無効モードにおいては、入力端子３３Ｌ、３３Ｒからそれぞれ入力されたオーディオ信号は、イコライザ３４Ｌ、３４Ｒで補正されることなく、アンプ３２−１Ｌ、３２−１Ｒを介して出力端子３５−１Ｌ、３５−１Ｒからスピーカ装置２０−１のスピーカ１１Ｌ、１１Ｒへ出力される。この場合、スピーカ装置２０−１は単独でステレオ発音する。
【００４３】
一方、第２のモード且つ有効モードにおいては、入力端子３３Ｌから入力されたオーディオ信号は、イコライザ３４Ｌで補正されて、アンプ３２−１Ｌ、３２−１Ｒを介してそれぞれ出力端子３５−１Ｌ、３５−１Ｒからスピーカ装置２０−１のスピーカ１１Ｌ、１１Ｒへ出力される。また、第２の入力端子３３Ｒから入力されたオーディオ信号は、イコライザ３４Ｒで補正されて、アンプ３２−２Ｌ、３２−２Ｒを介してそれぞれ出力端子３５−２Ｌ、３５−２Ｒからスピーカ装置２０−２のスピーカ１１Ｌ、１１Ｒへ出力される。この場合、スピーカ装置２０−１、２０−２が協働してステレオ発音する。
【００４４】
なお、切替スイッチＳＷ２、ＳＷ３は、切替スイッチＳＷ１と同様に、第２組のステレオ出力端子（３５−２Ｌ、３５−２Ｒ）へのスピーカ装置２０の接続有無に応じて切り替わる構成としてもよい。なお、第１のモード／第２のモード、及び有効モード／無効モードを、ユーザによる操作子１５、１６（図１（ａ））の操作で切り替え可能に構成してもよい。あるいは、図４（ｂ）で説明したのと同様に、制御部（ＣＰＵ等）により各モードを切り替え（スイッチＳＷ１、ＳＷ２、ＳＷ３を切り替え）制御する構成としてもよい。なお、検知部１７による検知結果に基づく制御を、切替スイッチＳＷ１、ＳＷ２、ＳＷ３のいずれかだけに適用してもよい。なお、オーディオ信号の特性を補正する補正手段としてイコライザ３４を例示したが、これに限らず、ＤＳＰによりーディオ信号の特性の補正処理を実現してもよい。
【００４５】
なお、上記各実施の形態において、入力端子１３Ｌ、１３Ｒ、３３Ｌ、３３Ｒから入力される信号はデジタル信号でもよい。ＵＳＢ（ユニバーサル・シリアル・バス）接続で用いる場合は、ＵＳＢオーディオコンバータを設け、アナログステレオオーディオ信号に変換して入力されるようにしてもよい。
【００４６】
なお、上記各実施の形態において、左側ラインと右側ラインとを反対にした構成としてもよい。その場合、プラグ３９の挿入有無の検知対象を第１の入力端子１３Ｌとしてもよく、スピーカ装置２０の接続有無の検知対象を第１組のステレオ出力端子としてもよい。また、スピーカ装置１０、３０を２個使用して音量を拡大させるという用途だけに着目すれば、スピーカ装置１０はイコライザ１４を設けない構成とし、アンプ装置３０はイコライザ３４Ｌ、３４Ｒを設けない構成としてもよい。
【００４７】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００４８】
１０、２０  スピーカ装置、  １１Ｌ、１１Ｒ  スピーカ、  １３Ｌ、３３Ｌ  第１の入力端子、  １３Ｒ、３３Ｒ  第２の入力端子、  １４、３４Ｌ、３４Ｒ  イコライザ（補正手段）、  ３０  アンプ装置、  ３５−１Ｌ、３５−２Ｌ  左側出力端子、  ３５−１Ｒ、３５−２Ｒ  右側出力端子、  ＳＷ１  切替スイッチ（出力切替手段）
【図１】
2018195987.tif 000003
【図２】
2018195987.tif 000004
【図３】
2018195987.tif 000005
【図４】
2018195987.tif 000006
【図５】
2018195987.tif 000007
【図６】
2018195987.tif 000008